(57)【特許請求の範囲】
【請求項１】
モジュールの基板を構成する地板（１０２）と、
地板（１０２）に組み込まれたステップモータ（１０４）と、
地板（１０２）に組み込まれ、ステップモータ（１０４）の作動に基づいて回転する輪列（１１２、１５０）と、
輪列（１１２、１５０）の少なくとも一部を回転可能に支持するための輪列受（１２４）と、
地板（１０２）に組み込まれ、輪列（１１２、１５０）の少なくとも一部の回転角度を修正するための切換機構（１３０）と、
切換機構（１３０）の作動に基づいて作動し、ステップモータ（１０４）の作動を停止させるためのリセットレバー（１４０）とを備え、
ステップモータ（１０４）が、ステータ（１０６）と、コイルブロック（１０８）と、ロータ（１１０）とを含み、
ステップモータ（１０４）を作動させるステップモータ駆動信号を入力するための２つの入力パターン（１４２ａ、１４２ｂ）と、リセットレバー（１４０）の作動に基づいて、ステップモータ（１０４）の作動をリセットさせるリセット信号を出力するためのリセットパターン（１４２ｃ）とを有するリード基板（１４２）がコイルブロック（１０８）に取付けられており、
前記２つの入力パターン（１４２ａ、１４２ｂ）は、コイルブロック（１０８）のコイルワイヤ（１０８ｗ）の両端部（１０８ｗ１、１０８ｗ２）にそれぞれ配線されており、前記リセットパターン（１４２ｃ）は、リセットレバー（１４０）が作動したときにリセットレバー（１４０）と導通するように構成されている、
ことを特徴とするアナログ時計機構モジュール。
【請求項２】
地板（１０２）がプラスチックで構成され、
輪列受（１２４）がプラスチックで構成され、
軸線方向に移動可能な巻真（１３２）と、巻真（１３２）の軸線方向の位置を決めるための巻真位置決め部材とが切換機構に含まれており、
リセットピン（１４４）が地板（１０２）に組み込まれ、かつ、リセットパターン（１４２ｃ）と導通しており、
リセットレバー（１４０）が、巻真（１３２）の軸線方向の移動に基づいて回転するように構成され、かつ、巻真（１３２）を引き出したときに、リセットピン（１４４）に接触するように構成されている、
ことを特徴とする請求項１に記載のアナログ時計機構モジュール。
【請求項３】
地板（１０２）のガラス側に回転可能に組み込まれた筒車（１５０）と、筒車（１５０）を地板（１０２）に対して回転可能に支持するための筒車押さえ（１５２）とを備えていることを特徴とする請求項１又は請求項２に記載のアナログ時計機構モジュール。
【請求項４】
アナログ時計を製造するときに、電池（４１４）の一部分を収容するための電池用スペースと、電池マイナス端子（４１２）を組み込むための電池マイナス端子用スペースと、回路ブロック（４２０）の一部分を組み込むための回路ブロック用スペースとが設けられていることを特徴とする請求項１から請求項３のいずれか１項に記載のアナログ時計機構モジュール。
【請求項５】
ムーブメントの基板を構成するムーブメント枠（４１２）を備え、
請求項４に記載のアナログ時計機構モジュール（４１０）が、ムーブメント枠（４１２）に組み込まれ、
電池マイナス端子（４１２）が、アナログ時計機構モジュール（４１０）の電池マイナス端子用スペースに収容され、
時刻に関する情報を計数して、ステップモータ（１０４）を駆動するために、ステップモータ駆動信号を出力するための回路ブロック（４２０）を備え、この回路ブロック（４２０）の一部分が、アナログ時計機構モジュール（４１０）の回路ブロック用スペースに収容され、この回路ブロック（４２０）は、ステップモータ駆動信号をアナログ時計機構モジュール（４１０）のリード基板（４３６）の２つの入力パターンに出力するように構成された２つの出力パターンを有し、この回路ブロック（４２０）の２つの出力パターンがそれぞれリード基板（４３６）の２つの入力パターンに導通するように構成され、この回路ブロック（４２０）は、アナログ時計機構モジュール（４１０）のステップモータ（１０４）をリセットさせるための信号を入力するリセット信号入力パターンを有し、リセット信号入力パターンがリセットパターン（１４２ｃ）と接触するように構成されており、
時計の電源を構成する電池（４１４）を備え、この電池（４１４）の一部分が、アナログ時計機構モジュール（４１０）の電池用スペースに収容され、
電池（４１４）の陰極が電池マイナス端子（４１２）と導通しており、
電池（４１４）の陽極がリセットレバー（１４０）と導通するように構成されている、
ことを特徴とするアナログ電子時計。
【請求項６】
電池の陽極に接触するための電池プラス端子部分（４３４ｂ）を備えていることを特徴とする請求項４に記載のアナログ時計機構モジュール。
【請求項７】
水晶ユニットを支持するための水晶ユニット支持ばね部分（４３４ｃ）を備えていることを特徴とする請求項６に記載のアナログ時計機構モジュール。
【請求項８】
地板（１０２）の外形形状は、巻真（１３２）のある側及び巻真（１３２）と反対側が「６×８型」に対応する寸法になるように構成され、巻真（１３２）の軸線と垂直方向の両側が「６×８型」に対応する寸法よりも小さく構成されていることを特徴とする請求項６又は請求項７に記載のアナログ時計機構モジュール。
【発明の詳細な説明】
【０００１】
【発明の属する技術分野】
本発明は、一般的には、アナログ式に時刻を表示するために、ステップモータと、このステップモータの作動に基づいて回転する輪列と、この輪列の回転角度を修正するための切換機構と、輪列を回転可能に支持するための輪列受とを備えたアナログ時計機構モジュールに関する。
【０００２】
【用語の定義】
ここで、本明細書で用いられている用語の定義について説明する。
「ムーブメント」とは、時計の機械的な構造部分及び作動部分を含む「機械体」を意味する。必要に応じて、「ムーブメント」に文字板及び指針を取付けたものを、「指針付きムーブメント」と称する。
「コンプリート」とは、「指針付きムーブメント」を時計の外装ケースに組み込んだ「完成体」を意味する。一般的には、「コンプリート」には、ばね棒及びバンドが含まれていない。
「ムーブメント」において、文字板が配置される方の側、及び、液晶パネルにより表示が読める方の側を、「ムーブメント」の「ガラス側」と称する。同様に、「コンプリート」において、表示が読める方の側を、「コンプリート」の「ガラス側」と称する。なぜなら、通常の外装ケースでは、表示が読める方の側に「ガラス」が配置されているからである。
【０００３】
これに対して、「ムーブメント」において、「ガラス側」と反対側を「裏ぶた側」と称する。なぜなら、通常の裏ぶたを有する外装ケースでは、「ガラス側」と反対側に「裏ぶた」が配置されているからである。
「１２時側」とは、アナログ式時計において、文字板の１２時に対応する目盛が配置されている方の側を示す。「１２時方向」とは、アナログ式時計において、指針の回転中心から「１２時側」に向かう方向を示す。
「３時側」とは、アナログ式時計において、文字板の３時に対応する目盛が配置されている方の側を示す。「３時方向」とは、アナログ式時計において、指針の回転中心から「３時側」に向かう方向を示す。
「６時側」とは、アナログ式時計において、文字板の６時に対応する目盛が配置されている方の側を示す。「６時方向」とは、アナログ式時計において、指針の回転中心から「６時側」に向かう方向を示す。
【０００４】
「９時側」とは、アナログ式時計において、文字板の９時に対応する目盛が配置されている方の側を示す。「９時方向」とは、アナログ式時計において、指針の回転中心から「９時側」に向かう方向を示す。
「アナログ時計機構モジュールの垂直軸線」とは、アナログ時計機構モジュールにおいて、二番車の回転中心を通り、巻真の中心軸線と平行な軸線を示す。「アナログ時計機構モジュールの垂直軸線」を「ＡＹ」と称する。
「アナログ時計機構モジュールの水平軸線」とは、アナログ時計機構モジュールにおいて、二番車の回転中心を通り、巻真の中心軸線と垂直な軸線を示す。「アナログ時計機構モジュールの水平軸線」を「ＡＸ」と称する。
「ムーブメントの垂直軸線」とは、ムーブメントにおいて、二番車の回転中心を通り、巻真の中心軸線と平行な軸線を示す。従って、「ムーブメントの垂直軸線」は「アナログ時計機構モジュールの垂直軸線」と同じであり、「ＡＹ」である。
【０００５】
「ムーブメントの水平軸線」とは、ムーブメントにおいて、二番車の回転中心を通り、巻真の中心軸線と垂直な軸線を示す。従って、「ムーブメントの水平軸線」は「アナログ時計機構モジュールの水平軸線」と同じであり、「ＡＸ」である。
「ムーブメント」において、地板の「ガラス側」に組み込まれる輪列を「裏輪列」と称する。
これに対して、「ムーブメント」において、地板の「裏ぶた側」に組み込まれる輪列を「表輪列」と称する。
【０００６】
【従来の技術】
従来のアナログ時計のムーブメントにおいては、モジュールの基板を構成する地板と、ステップモータと、ステップモータの作動に基づいて回転する輪列と、輪列の回転角度を修正するための切換機構と、ステップモータの作動を停止させるためのリセットレバーと、時刻に関する情報を計数してステップモータを作動させる信号を出力するための回路ブロックとを備えていた。
ステップモータは、ステータと、コイルブロックと、ロータとを含んでいる。リード基板がコイルブロックに取付けられている。リード基板は、ステップモータを作動させる信号を入力するための２つの入力パターンを有する。
回路ブロックは、ムーブメントの回路ブロック用スペースに完全に収容されている。回路ブロックは、ステップモータ駆動信号をコイルブロックのリード基板の２つの入力パターンに出力するように構成された２つの出力パターンを有し、この回路ブロックの２つの出力パターンがそれぞれリード基板の２つの入力パターンに導通するように、回路ブロックは取付けられている。
【０００７】
回路ブロックはリセット動作のためのリセットパターンを有し、リセットレバーが作動したときに、リセットレバーはリセットパターンに接触するように構成されていた。
時計の電源を構成する電池が、ムーブメントの電池用スペースに完全に収容されている。電池の陰極が電池マイナス端子と導通しており、電池の陽極が電池プラス端子と導通している。
アナログ電子時計に用いられるムーブメントには、一般的には、「標準サイズ」のものが広く製造されていた。この「標準サイズ」としては、例えば、「５・１／２型」、「６×８型」、「７・３／４型」、「８・３／４型」、「１０・１／２型」、「１１・１／２型」等が知られている。
【０００８】
「型」とは、ムーブメントの大きさ（外径又は短径×長径）を表示する概念である。ここで、「１型」とは、「フランスインチ」の１／１２の大きさを意味するものであり、約２．２５ミリメートル（２．２５５８ミリメートル）である。一般的には、この「型」とは、ムーブメントの「機械落径」（地板の中枠に嵌まる部分の外径）を意味する。
例えば、「６×８型」のムーブメントとは、ムーブメントのＡＹ方向の長さ、すなわち、短径が（６＋３／４）型であり、ムーブメントのＡＸ方向の機械落径部分の長さ、すなわち、機械落径部分の長径が８型の大きさであるムーブメントを示す。すなわち、「６×８型」のムーブメントとは、ＡＹ方向の長さが約１５ミリメートルであり、ＡＸ方向の機械落径部分の長さが約１８ミリメートルであるような大きさのムーブメントを示す。そして、一般的には、「６×８型」のムーブメントにおける地板のＡＸ方向の最大長さは、約１８．２〜１８．６ミリメートルになるように製造されている。
【０００９】
従来の「６×８型」のムーブメントでは、ＡＹに対して一方の側に電池が配置され、ＡＹに対して他方の側に集積回路及び水晶ユニットが配置されていた。また、従来の「６×８型」のムーブメントでは、ＡＸに対して一方の側に巻真を含む切換機構と、つづみ車と、日の裏車とが配置され、ＡＹに対して他方の側にステップモータが配置されていた。そして、従来のムーブメントでは、一般的には、地板及び輪列受が金属で作られていた。
また、従来のムーブメントでは、筒車は、ムーブメントに取付けられていなかった。従って、ムーブメントの「表示側」に筒車を組み、更に、針座を組むように構成されていた。このような従来のムーブメントの構造においては、筒車は地板から分離可能なように配置されていた。
【００１０】
【発明が解決しようとする課題】
しかし、従来のアナログ時計のムーブメントでは、下記の課題があった。
（１）リセットパターンが回路ブロックに設けられ、リセットレバーが作動したときに、リセットレバーがリセットパターンに接触するように構成されているため、リセット機構の構造が複雑であった。従って、従来のムーブメントを用いて、液晶パネルを有する複合表示式電子時計を作るときには、回路ブロックをムーブメントから取り除き、リセットパターンを有する他の新しい回路ブロックを取付けなければならなかった。このため、複合表示式電子時計の構造が複雑になり、その部品の製造及び組立に多くの時間を必要としていた。
（２）従来のムーブメントでは、筒車は地板から分離可能なように配置されていたので、ムーブメントと筒車と針座とを別々に用意しなければならなかった。このため、部品の取扱いに注意が必要となっていた。更に、従来のムーブメントを用いて複合表示式電子時計を作るときには、その組立に多くの時間を必要としていた。
（３）従来、一般的には、「標準サイズ」のムーブメントが製造されているので、従来のムーブメントを用いて複合表示式電子時計を作るときには、時計の大きさが大きくなった。例えば、「６×８型」のムーブメントを使用して複合表示式電子時計を製造するときには、その複合表示式電子時計には、「６×８型」のムーブメントを収容するためのスペースが必要であった。
【００１１】
【発明の目的】
そこで、従来のこのような課題を解決するため、本発明の目的は以下に記載する点にある。
（１）リセット機構の構造が簡単なアナログ時計機構モジュールを提供する。
（２）部品数が少なく、部品の製造工程が短く、部品の組立が簡単なアナログ時計機構モジュールを提供する。
【００１２】
【課題を解決するための手段】
上記課題を解決するために、本発明は、アナログ時計機構モジュールにおいて、モジュールの基板を構成する地板と、地板に組み込まれたステップモータと、地板に組み込まれ、ステップモータの作動に基づいて回転する輪列と、輪列の少なくとも一部を回転可能に支持するための輪列受と、地板に組み込まれ、輪列の少なくとも一部の回転角度を修正するための切換機構と、切換機構の作動に基づいて作動し、ステップモータの作動を停止させるためのリセットレバーとを備える構成とした。
本発明のアナログ時計機構モジュールでは、ステップモータが、ステータと、コイルブロックと、ロータとを含み、ステップモータを作動させるステップモータ駆動信号を入力するための２つの入力パターンと、リセットレバーの作動に基づいて、ステップモータの作動をリセットさせるリセット信号を出力するためのリセットパターンとを有するリード基板がコイルブロックに取付けられている。前記２つの入力パターンは、コイルブロックのコイルワイヤの両端部にそれぞれ配線されており、前記リセットパターンは、リセットレバーが作動したときにリセットレバーと導通するように構成されている。
【００１３】
また、本発明のアナログ時計機構モジュールでは、地板及び輪列受がプラスチックで構成され、軸線方向に移動可能な巻真と、巻真の軸線方向の位置を決めるための巻真位置決め部材とが切換機構に含まれ、リセットピンが地板に組み込まれ、かつ、リセットパターンと導通しており、リセットレバーが、巻真の軸線方向の移動に基づいて回転するように構成され、かつ、巻真を引き出したときに、リセットピンに接触するように構成されているのが好ましい。
この構成により、リセット機構の構造が簡単なアナログ時計機構モジュールを製造することができ、リセット機構が誤って作動するおそれが少ない。
また、本発明のアナログ時計機構モジュールでは、地板のガラス側に回転可能に組み込まれた筒車と、筒車を地板に対して回転可能に支持するための筒車押さえとを備えているのが好ましい。
【００１４】
また、本発明のアナログ時計機構モジュールは、アナログ時計を製造するときに、電池の一部分を収容するための電池用スペースと、電池マイナス端子を組み込むための電池マイナス端子用スペースと、回路ブロックの一部分を組み込むための回路ブロック用スペースとが設けられているのが好ましい。
この構成により、本発明のアナログ時計機構モジュールを用いて、小型で薄いアナログ時計を製造することができる。
本発明のアナログ時計機構モジュールを有するアナログ電子時計は、ムーブメントの基板を構成するムーブメント枠を備え、アナログ時計機構モジュールが、ムーブメント枠に組み込まれている。本発明のアナログ電子時計では、電池マイナス端子が、アナログ時計機構モジュールの電池マイナス端子用スペースに収容されている。本発明のアナログ電子時計は、時刻に関する情報を計数して、ステップモータを駆動するために、ステップモータ駆動信号を出力するための回路ブロックを備え、この回路ブロックの一部分が、アナログ時計機構モジュールの回路ブロック用スペースに収容され、この回路ブロックは、ステップモータ駆動信号をアナログ時計機構モジュールのリード基板の２つの入力パターンに出力するように構成された２つの出力パターンを有し、この回路ブロックの２つの出力パターンがそれぞれリード基板の２つの入力パターンに導通するように構成され、この回路ブロックは、アナログ時計機構モジュールのステップモータをリセットさせるための信号を入力するリセット信号入力パターンを有し、リセット信号入力パターンがリセットパターンと接触するように構成されている。
【００１５】
この構成により、確実に作動するリセット機構を有するアナログ電子時計を製造することができる。本発明のアナログ電子時計は、時計の電源を構成する電池を備え、この電池の一部分が、アナログ時計機構モジュールの電池用スペースに収容され、電池の陰極が電池マイナス端子と導通しており、電池の陽極がリセットレバーと導通しているように構成されている。
【００１６】
この構成により、アナログ時計機構モジュールを利用してアナログ電子時計のムーブメントを効率的に製造することができる。
本発明のアナログ時計機構モジュールは、電池の陽極に接触するための電池プラス端子部分を備えているのが好ましい。
この構成により、アナログ時計機構モジュールを利用してアナログ時計のムーブメントを製造したときに、電池プラス端子を別個に設けなくて済む。
また、本発明のアナログ時計機構モジュールは、水晶ユニットを支持するための水晶ユニット支持ばね部分を備えているのが好ましい。
この構成により、アナログ時計機構モジュールを利用してアナログ時計のムーブメントを製造したときに、確実に、水晶ユニットを衝撃による破損から保護することができる。
【００１７】
また、本発明のアナログ時計機構モジュールの地板の外形形状は、巻真のある側及び巻真と反対側が「６×８型」に対応する寸法になるように構成され、巻真の軸線と垂直方向の両側が「６×８型」に対応する寸法よりも小さく構成されているのが好ましい。
この構成により、アナログ時計機構モジュールを利用して、「６×８型」のアナログ電子時計のムーブメントを効率的に製造することができる。
【００１８】
【発明の実施の形態】
以下に、本発明の実施の形態を図面に基づいて説明する。
（１）アナログ時計機構モジュールの構造
図１から図３を参照すると、本発明のアナログ時計機構モジュール１００は、モジュールの基板を構成する地板１０２を備える。ステップモータ１０４が地板１０２の裏ぶた側即ち表側に組み込まれる。ステップモータ１０４は、ステータ１０６と、コイルブロック１０８と、ロータ１１０とを含む。コイルブロック１０８は磁心１０８ｃを含む。磁心１０８ｃはパーマロイのような強磁性材で作られ、棒状部分と、棒状部分の両側に設けられた耳状部分とを有する。コイルワイヤ１０８ｗが磁心１０８ｃの棒状部分に巻かれている。ステータ１０６はパーマロイのような強磁性材で作られ、２つの耳状部分と、ステータ穴とを有する。
【００１９】
図３及び図４を参照すると、磁心１０８ｃの一方の耳状部分は、ステータ１０６の一方の耳状部分と接触した状態で、地板１０２に設けられたかしめピン１０２ｇにより、熱かしめにより地板１０２に取付けられている。図３及び図５を参照すると、磁心１０８ｃの他方の耳状部分は、ステータ１０６の他方の耳状部分と接触した状態で、地板１０２に設けられたかしめピン１０２ｈにより、熱かしめにより地板１０２に取付けられている。
図１から図４を参照すると、ステップモータ１０４の作動に基づいて回転する表輪列１１２が地板１０２の表側に組み込まれる。表輪列１１２は、五番車１１４と、四番車１１６と、三番車１１８と、二番車１２０と、日の裏車１２２とを含む。輪列受１２４が表輪列１１２を回転可能に支持する。輪列受１２４は、地板１０２に設けられたかしめピン１０２ａ、１０２ｂ、１０２ｃにより、熱かしめにより地板１０２に取付けられている。
【００２０】
ロータ１１０の上ほぞ、五番車１１４の上ほぞ、四番車１１６の上ほぞ、三番車１１８の上ほぞ、日の裏車１２２の上ほぞは輪列受１２４に対して回転可能に支持される。ロータ１１０の下ほぞ、五番車１１４の下ほぞは地板１０２に対して回転可能に支持される。三番車１１８の下ほぞはリセットレバー１４０に対して回転可能に支持される。二番車１２０は地板１０２に対して回転可能に支持される。四番車１１６のそろばん玉は、二番車１２０に対して回転可能に支持される。日の裏車１２２の下軸部は地板１０２に対して回転可能に支持される。
ロータ１１０はロータ磁石１１０ｍと、ロータかな１１０ｐとを有する。五番車１１４は五番歯車１１４ｇと、五番かな１１４ｐとを有する。四番車１１６は四番歯車１１６ｇと、四番かな１１６ｐとを有する。三番車１１８は三番歯車１１８ｇと、三番かな１１８ｐとを有する。二番車１２０は二番歯車１２０ｇと、二番かな１２０ｐとを有する。日の裏車１２２は日の裏歯車１２２ｇと、日の裏かな１２２ｐとを有する。
【００２１】
ロータかな１１０ｐは五番歯車１１４ｇと噛み合う。五番かな１１４ｐは四番歯車１１６ｇと噛み合う。四番かな１１６ｐは三番歯車１１８ｇと噛み合う。三番かな１１８ｐは二番歯車１２０ｇと噛み合う。二番かな１２０ｐは日の裏歯車１２２ｇと噛み合う。日の裏かな１２２ｐは地板１０２のガラス側即ち裏側に配置される。
輪列受１２４には、アナログ時計機構モジュール１００を用いてアナログ時計及び複合表示式電子時計等を製造するときに、回路ブロックを構成する部品を逃げるため、又は、回路ブロックを構成する部品を収容するための回路ブロック用スペース１２４ＳＣと、電池マイナス端子を組み込むための電池マイナス端子用スペース１２４ＳＭとが設けられている。回路ブロック用スペース１２４ＳＣには、例えば、水晶ユニット及び集積回路が収容される。
【００２２】
輪列受１２４は、リード基板１４２のリセットパターンを絶縁するためのリセット絶縁部分１２４ＲＳを有する。
輪列の回転角度を修正するための、即ち、針合わせを行うための切換機構１３０が地板１０２の表側に組み込まれる。切換機構１３０は、軸線ＡＹの方向に移動可能な巻真１３２と、巻真１３２の軸線方向の位置を決めるための巻真位置決め部材１３４と、巻真１３２を引き出した状態において巻真１３２の回転に基づいて回転するつづみ車１３６とを含む。巻真位置決め部材１３４は金属で作られている。つづみ車１３６は、巻真１３２に対して回転可能に組み込まれる。すなわち、つづみ車１３６の中心軸線は巻真１３２の中心軸線と一致するように配置される。つづみ車１３６は、一端につづみ歯車１３６ｇを有する。つづみ歯車１３６ｇは日の裏歯車１２２ｇと噛み合う。
【００２３】
つづみ車１３６をプラスチックで形成するのが好ましい。つづみ車１３６は、巻真１３２が０段目にある状態において、巻真１３２の回転により回転せず、巻真１３２を１段目に引き出した状態において、巻真１３２の回転に基づいて回転するように構成されている。従って、つづみ車１３６は、巻真１３２が０段目にある状態において、巻真１３２に対してすきま嵌めになり、巻真１３２を１段目に引き出した状態において、巻真１３２に対して締まり嵌めになるように構成することができる。
切換機構１３０の作動に基づいて作動し、ステップモータ１０４の作動を停止させるためのリセットレバー１４０が、地板１０２に対して回転可能に組み込まれる。リセットレバー１４０は金属で作られ、巻真位置決め部材１３４と接触するように配置されている。すなわち、リセットレバー１４０は、常に、巻真位置決め部材１３４と電気的に導通している。金属で作られたリセットピン１４４が地板１０２に組み込まれる。リセットレバー１４０はリセットレバーばね部１４０ｓを有する。この構成では、リセットレバー１４０は、常に、図２で見たときに時計まわり方向に回転するように付勢されている。リセットレバー１４０がリセットピン１４４に接触することにより、巻真位置決め部材１３４とリセットピン１４４を電気的に導通させることができる。
【００２４】
巻真１３２が０段目にある状態では、リセットレバーばね部のばね力により、リセットレバー１４０は巻真１３２と接触し、かつ、リセットピン１４４と接触しないように構成されている。巻真１３２が１段目にある状態では、リセットレバーばね部のばね力により、リセットレバー１４０は、巻真１３２から離れ、リセットピン１４４と接触するように構成されている。
巻真１３２が０段目にある状態では、リセットレバー１４０は、三番かな１１８ｐと二番歯車１２０ｇとを噛み合わせる位置にあるように構成されている。巻真１３２が１段目にある状態では、リセットレバー１４０は、三番かな１１８ｐを二番歯車１２０ｇから離す位置にあるように構成されている。
図１、図２、図３、図６を参照すると、リード基板１４２がコイルブロック１０８に取付けられている。図９を参照すると、リード基板１４２は、ステップモータ１０４を作動させるステップモータ駆動信号を入力するための２つの入力パターン１４２ａ、１４２ｂと、リセットピン１４４と接触し、かつ、リセットレバー１４０の作動に基づいて、ステップモータ１０４の作動をリセットさせるためのリセット信号を出力するリセットパターン１４２ｃとを有する。リセットパターン１４２ｃは、基板の基材からはみだしたリセットピン接触部１４２ｔを含む。
【００２５】
リード基板１４２を、ガラスエポキシ基板又はポリイミド基板で構成するのが好ましい。
リード基板１４２をコイルブロック１０８に取付けるための固定用穴１４２Ｈ１と、リード基板１４２をコイルブロック１０８に取付けるときの組立案内穴１４２Ｈ２と、アナログ時計機構モジュール１００を用いてアナログ時計及び複合表示式電子時計等を製造するときに、リード基板１４２を案内するためのリード基板案内穴１４２Ｈ３とがリード基板１４２に設けられている。
図１、図２、図３、図６を参照すると、２つの入力パターン１４２ａ、１４２ｂは、コイルブロック１０８のコイルワイヤ１０８ｗの両端部１０８ｗ１、１０８ｗ２にそれぞれ配線されており、リセットパターン１４２ｃは、リセットレバー１４０が作動したときにリセットピン１４４を介してリセットレバー１４０と導通するように配置されている。
【００２６】
地板１０２及び輪列受１２４はプラスチックで構成されている。このプラスチックは、ポリカーボネート、ポリアセタール、ポリサルフォンであるのが好ましい。
図７を参照すると、筒車１５０が地板１０２のガラス側即ち裏側に回転可能に組み込まれる。この構造では、筒車１５０は裏輪列である。筒車押さえ１５２が、筒車１５０を地板１０２に対して回転可能に支持するために設けられる。筒車押さえ１５２は、３本のかしめピン１０２ｄ、１０２ｅ、１０２ｆを用いて、熱かしめにより地板１０２に取付けられている。筒車１５０の筒車歯車部分１５０ｇは日の裏かな１２２ｐと噛み合う。
本発明においては、輪列の構成は上述したような形状及び配置に限定されることはない。変形例として、裏輪列が筒車及び日の裏車を含んでもよいし、或いは、表輪列が筒車を含んでもよい。本発明においては、表輪列及び裏輪列は、輪列を構成する全ての部品が、地板１０２に対して回転可能に支持されている。
【００２７】
変形例として、切換機構は、おしどり、かんぬき、かんぬき押さえ（図示せず）を含むように構成してもよい。この構成では、巻真１３２が０段目にある状態では、つづみ車１３６は日の裏車１２２と噛み合わず、巻真１３２が１段目にある状態では、つづみ車１３６は日の裏車１２２と噛み合うように構成される。更に、この構成では、二番車１２０にスリップ機構が設けられる。スリップ機構は、例えば、筒かなにより構成される。更に、この構成では、巻真１３２が１段目にある状態で、ロータ１１０、五番車１１４、四番車１１６、三番車１１３のいずれかを規正するための規正レバー（図示せず）を備えるのが好ましい。規正レバーを設けることにより、巻真１３２が１段目にある状態で巻真１３２を回転させたときに、つづみ車１３６、日の裏車１２２、二番かな１２０ｐ、筒車１５０は回転して、ロータ１１０、五番車１１４、四番車１１６、三番車１１３は回転しないように構成することができる。
【００２８】
図８を参照すると、巻真１３２を組み込むための巻真穴１０２ＨＳが地板１０２に設けられている。地板１０２には、つづみ車１３６を収容するためのつづみ車用スペース１０２ＳＴと、表輪列１１２を収容するための表輪列用スペース１０２ＳＧと、切換機構１３０を収容するための切換機構用スペース１０２ＳＨと、ステップモータ１０４を収容するためのステップモータ用スペース１０２ＳＣとが設けられている。
更に、地板１０２には、アナログ時計機構モジュール１００を用いてアナログ時計及び複合表示式電子時計等を製造するときに、電池の一部分を収容するための電池用スペース１０２ＳＢと、電池マイナス端子を組み込むための電池マイナス端子用スペース１０２ＳＭとが設けられている。電池用スペース１０２ＳＢは、電池の全体を収容することができる大きさでなく、電池の一部分を収容することができる大きさになるように形成されている。
【００２９】
熱かしめ用ピン１０２ａ、１０２ｂ、１０２ｃ、１０２ｇ、１０２ｈ、１０２ｊが地板１０２に形成されている。
更に、地板１０２には、アナログ時計機構モジュール１００を用いてアナログ時計及び複合表示式電子時計等を製造するときに、アナログ時計機構モジュール１００を取付けるためのモジュール固定用穴１０２Ｈ１及び１０２Ｈ２と、アナログ時計機構モジュール１００を案内するためのモジュール組立案内穴１０２Ｈ３とが設けられている。
（２）アナログ時計機構モジュールの作用
次に、本発明のアナログ時計機構モジュールの作用について説明する。
図１から図４を参照すると、ステップモータ１０４を作動させるステップモータ駆動信号をリード基板１４２の入力パターン１４２ａ、１４２ｂに入力させると、ステップモータ１０４が作動する。すなわち、ステップモータ駆動信号によりロータ１１０が回転し、ロータ１１０が回転することにより五番車１１４が回転する。四番車１１６は、五番車１１４の回転に基づいて、１分間に１回転する。三番車１１８は、四番車１１６の回転に基づいて回転する。二番車１２０は、三番車１１８の回転に基づいて、１時間に１回転する。日の裏車１２２は、二番車１２０の回転に基づいて回転する。筒車１５０は、日の裏車１２２の回転に基づいて、１２時間に１回転する。この構成により、四番車１１６に取付けられた秒針３７０により「秒」を表示し、二番車１２０に取付けられた分針３７２により「分」を表示し、筒車１５０に取付けられた時針３７４により「時」を表示することができる。文字板３６６は、アナログ時計機構モジュール１００のガラス側に取付けられる。すなわち、文字板３６６は、地板１０２のガラス側に配置される。
【００３０】
巻真１３２が０段目にある状態では、リセットレバー１４０は、三番かな１１８ｐと二番歯車１２０ｇとを噛み合わせる位置にあるように構成されている。従って、この状態では、二番車１２０は、三番車１１８の回転に基づいて回転することができる。巻真が０段目にある状態では、巻真１３２が回転しても、つづみ車１３６は回転しない。
時針及び分針の針合わせを行うときは、巻真１３２を１段目に引き出す。これにより、図２を参照すると、リセットレバー１４０は、リセットレバーピン１４０ｃを中心として、時計回り方向に回転して、三番かな１１８ｐは二番歯車１２０ｇから離れる。また、巻真１３２を１段目に引き出すと、リセットレバー１４０は、巻真１３２から離れ、リセットピン１４４と接触する。リセットレバー１４０を電池の陽極と導通させるように構成することにより、リセットレバー１４０をリセットピン１４４と接触させて、ステップモータ１０４の作動をリセットさせるためのリセット信号をリセットパターン１４２ｃに出力することができる。
【００３１】
巻真１３２を１段目に引き出した状態で、巻真１３２を回転させると、つづみ車１３６は、巻真１３２の回転に基づいて回転し、日の裏車１２２はつづみ車１３６の回転に基づいて回転する。日の裏車１２２が回転することにより、二番車１２０及び筒車１５０を回転させることができる。従って、巻真１３２を１段目に引き出した状態で巻真１３２を回転させることにより、時針及び分針を回転させて時刻修正即ち針合わせを行うことができる。
図３を参照すると、巻真１３２を１段目に引き出した状態では、リセットレバー１４０が回転して、三番かな１１８ｐを二番歯車１２０ｇから離れさせる。これにより、三番かな１１８ｐは図３の想像線で示す位置に移動し、三番かな１１８ｐは二番歯車１２０ｇと噛み合わない状態になる。従って、この状態で、巻真１３２を回転させても、三番車１１８、四番車１１６、五番車１１４、ロータ１１０は回転しない。
【００３２】
更に、図２を参照すると、巻真１３２を０段目に押し戻すと、巻真１３２がリセットレバー１４０に接触して、リセットレバーピン１４０ｃを中心として、リセットレバー１４０を反時計回り方向に回転させる。これにより、リセットレバー１４０はリセットピン１４４から離れる。その結果、ステップモータ駆動信号をリード基板１４２の入力パターン１４２ａ、１４２ｂに入力させることにより、再びステップモータ１０４を作動させることができる。
また、巻真１３２を０段目に押し戻すことにより、リセットレバー１４０が、図２で見て反時計回り方向に回転する。すると、三番かな１１８ｐは、図４に実線で示すように、再び二番歯車１２０ｇと噛み合う。従って、この状態では、ステップモータ１０４を作動させることにより、ロータ１１０、五番車１１４、四番車１１６、三番車１１８、二番車１２０、日の裏車１２２、筒車１５０を回転させることができる。
（３）アナログ時計機構モジュールの製造方法
次に、本発明のアナログ時計機構モジュールの製造方法について説明する。
【００３３】
最初に、モジュールの基板を構成するための、プラスチックで構成された地板１０２を準備し、金属で構成されたリセットピン１４４を地板１０２の裏ぶた側に組み込む。次に、金属で構成されたリセットレバー１４０を地板１０２の裏ぶた側に組み込む。次に、ステップモータ及び表輪列を裏ぶた側に地板に組み込む。次に、コイルブロック１０８を、ステータ１０６の上面に接触させて、地板１０２の裏ぶた側に組み込み、かしめピン１０２ｇ、１０２ｈを熱かしめすることにより、コイルブロック１０８及びステータ１０６を地板１０２に対して固定する。
次に、つづみ車１３６を地板１０２の裏ぶた側に組み込む。次に、二番車１２０、日の裏車１２２を地板１０２の裏ぶた側に組み込む。次に、三番車１１８の下ほぞをリセットレバー１４０に対して回転可能に組み込む。次に、ロータ１１０、五番車１１４、四番車１８２を地板１０２の裏ぶた側に組み込む。
【００３４】
次に、輪列受１２４を地板１０２の裏ぶた側に組み込む。輪列受１２４は、二番車１２０の上ほぞ、三番車１１８の上ほぞ、四番車１８２の上ほぞ、五番車１１４の上ほぞ、ロータ１１０の上ほぞ、日の裏車１２２の上ほぞを回転可能に支持するように取付けられる。かしめピン１０２ａ、１０２ｂ、１０２ｃを熱かしめすることにより、輪列受１２４を地板１０２に対して固定する。
次に、地板１０２のかしめピン１０２ｊと、輪列受１２４のかしめピンとを熱かしめすることにより、巻真位置決め部材１３４を地板１０２の裏ぶた側に固定する。巻真位置決め部材１３４は、一部分が仮巻真に接触して、仮巻真の軸線方向の移動を規正するように取付けられる。
次に、上述した部品を組み込んだ地板１０２の表裏を反転させる。
【００３５】
次に、筒車１５０を地板１０２のガラス側に回転可能に組み込み、筒車押さえ１５２を地板１０２に取付け、かしめピン１０２ｄ、１０２ｅ、１０２ｆを熱かしめすることにより、筒車押さえ１５２を地板１０２に対して固定する。
次に、巻真１３２を地板１０２に組み込む。これにより、巻真位置決め部材１３４は、一部分が巻真１３２に接触して、巻真１３２の軸線方向の移動を規正する。
なお、ムーブメントの製造及び検査を効率的に行うために、仮巻真を用いてもよい。
（４）アナログ時計機構モジュールを用いた複合表示式電子時計
本発明のアナログ時計機構モジュールを用いることにより、アナログ電子時計、アナログ表示及びデジタル表示を備えた複合表示式電子時計、センサ、心拍計等の付加機能付き電子時計等を実現することができる。また、本発明のアナログ時計機構モジュールを２個用いた２表示付きアナログ電子時計等を実現することができる。
【００３６】
以下に、本発明のアナログ時計機構モジュールを用いた電子時計の一例として、複合表示式電子時計の実施の形態の構造について説明する。
図１０から図１２を参照すると、複合表示式電子時計のムーブメント３００はアナログ時計機構モジュール１００と、ムーブメント枠３０２と、液晶パネル３１０と、回路ブロック３２０と、スイッチばね３２２とを備える。
モジュール固定ピン３０４、３０６と、導通部固定ピン３０８がムーブメント枠３０２に設けられている。アナログ時計機構モジュール１００はムーブメント枠３０２のほぼ中央部分に配置される。液晶パネル３１０は、ムーブメント３００の「６時側」に配置される。回路ブロック３２０は、ムーブメント枠３０２の「裏ぶた側」に配置される。スイッチばね３２２は回路ブロック３２０の「裏ぶた側」に配置される。アナログ時計機構モジュール１００の巻真１３２は、ムーブメント３００の「３時方向」に延びている。
【００３７】
回路ブロック３２０は、回路基板３２０ａと、集積回路（図示せず）と、水晶ユニット（図示せず）と、抵抗、コンデンサ、昇圧コイル等の電気素子（図示せず）とを含む。集積回路と、水晶ユニットと、抵抗、コンデンサ、昇圧コイル等の電気素子は、回路基板３２０ａに取付けられている。
時刻に関する情報を計数する時刻情報計数手段又は時刻情報計数回路と、アナログ時計機構モジュール１００のステップモータ１０４にステップモータ駆動信号を出力させるステップモータ駆動手段又はステップモータ駆動回路と、液晶パネルを駆動させる液晶パネル駆動手段又は液晶パネル駆動回路と、圧電ブザーを作動させる圧電ブザー駆動回路とが、プログラムを内蔵した集積回路と、回路基板３２０ａに取付けられた電気素子とによって構成される。
【００３８】
図１１及び図１３を参照すると、電池３３０がムーブメント枠３０２に組み込まれる。電池３３０は、ムーブメント３００のほぼ「１２時側」に配置される。電池マイナス端子３３２がムーブメント３００に組み込まれる。電池マイナス端子３３２は、その一端が電池３３０の陰極に接触し、他端が回路基板のマイナス入力用パターンに接触するように配置される。マイナス入力用パターンは、集積回路のマイナス入力端子に接続されている。スイッチばね３２２の電池プラスばね部分３２２ｐが、電池３３０の陽極に接触するように設けられる。スイッチばね３２２の電池プラス導通ばね部分３２２ｍが、アナログ時計機構モジュール１００の巻真位置決め部材１３４に接触するように設けられる。この構成により、巻真位置決め部材１３４及びリセットレバー１４０は、電池３３０の陽極に導通される。
【００３９】
アナログ時計機構モジュール１００の地板１０２のモジュール固定用穴１０２Ｈ２をムーブメント枠３０２のモジュール固定ピン３０４にはめ、地板１０２をムーブメント枠３０２に接触させ、地板１０２の上に回路基板３２０ａを配置し、回路基板３２０ａの上にスイッチばね３２２を配置した状態で、モジュール固定ねじ３３４が、モジュール固定ピン３０４の雌ねじ部分にねじ締めされる。
図１１及び図１４を参照すると、アナログ時計機構モジュール１００のリード基板１４２のリード基板案内穴１４２Ｈ３をムーブメント枠３０２の導通部固定ピン３０８にはめ、リード基板１４２をムーブメント枠３０２に接触させ、リード基板１４２の上に信号伝達用基板３４０を配置し、信号伝達用基板３４０の上に回路基板３２０ａを配置し、回路基板３２０ａの上にスイッチばね３２２を配置した状態で、導通部固定ねじ３４４が、導通部固定ピン３０８の雌ねじ部分にねじ締めされる。
【００４０】
信号伝達用基板３４０は、両面にパターンを有する基板で構成され、信号伝達用基板３４０の両面に設けられたパターンは、スルーホールめっきにより導通されている。信号伝達用基板３４０の両面に設けられたパターンにより、アナログ時計機構モジュール１００のリード基板１４２の第１の入力パターン１４２ａを回路基板３２０ａの第１のステップモータ駆動信号出力パターンに導通させ、リード基板１４２の第２の入力パターン１４２ａを回路基板３２０ａの第２のステップモータ駆動信号出力パターンに導通させ、リード基板１４２のリセットパターン１４２ｃを回路基板３２０ａのリセット信号入力パターンに導通させるように構成されている。
図１１及び図１５を参照すると、アナログ時計機構モジュール１００の地板１０２のモジュール固定用穴１０２Ｈ２をムーブメント枠３０２のモジュール固定ピン３０６にはめて、地板１０２をムーブメント枠３０２に接触させ、地板１０２の上にブザーリード端子３５０を配置し、ブザーリード端子３５０の上に回路基板３２０ａを配置した状態で、モジュール固定ねじ３５４が、モジュール固定ピン３０４の雌ねじ部分にねじ締めされる。ブザーリード端子３５０は回路基板３２０ａのブザー信号出力パターンに導通させるように構成されている。
【００４１】
スイッチボタンを押したときに回路基板３２０ａのスイッチパターンに接触するように構成されたスイッチばね部分３２２ｂ、３２２ｃ、３２２ｄがスイッチばね３２２に設けられている。スイッチばね３２２は、スイッチばね３２２に設けられた取付け用フック部分３２２ｅ、３２２ｆ、３２２ｇ、３２２ｈにより、ムーブメント枠３０２に取付けられている。
スイッチばね３２２は、裏ぶたと接触してアースをとるためのアースばね部分３２２ａ１、３２２ａ２、３２２ａ３を有する。
スイッチばね３２２は、リセットピン押し部分３２２ｔを有する。スイッチばね３２２のリセットピン押し部分３２２ｔは、輪列受１２４のリセット絶縁部分１２４ＲＳを「ガラス側」に押し付ける。これにより、アナログ時計機構モジュール１００のリード基板４３６のリセットパターン付近をリセットピン１４４に押し付けることができる。スイッチばね３２２のリセットピン押し部分３２２ｔとリセットピン１４４及びリセットパターンとの間に絶縁性のある部材、即ち、輪列受１２４のリセット絶縁部分１２４ＲＳを介在させることにより、スイッチばね３２２のリセットピン押し部分３２２ｔがリセットピン１４４及びリセットパターンに導通しないように構成することができる。
【００４２】
図１６を参照すると、複合表示式電子時計の外装ケースは、胴３６０と、ガラス３６２と、裏ぶた３６４とを含む。ガラス３６２は胴３６０に固定されている。文字板３６６が、アナログ時計機構モジュール１００の「ガラス側」の表面と、ムーブメント枠３０２の「ガラス側」の表面とに接触して設けられる。
秒針３７０がアナログ時計機構モジュール１００の四番車１１６に取付けられる。分針３７２がアナログ時計機構モジュール１００の二番車１２０に取付けられる。時針３７４がアナログ時計機構モジュール１００の筒車１５０に取付けられる。
文字板３６６のガラス側の面の外周部は胴３６０の段部に接触するように裏ぶた側から組み込まれる。中枠３８０が、文字板３６６の裏ぶた側の外周部と、ムーブメント枠３０２の外周部に接触するように裏ぶた側から組み込まれる。裏ぶた３６４が中枠３８０を文字板３６６に押し付けるようにして、胴３６０に固定される。裏ぶた３６４の固定は、例えば、裏ぶた固定用ねじ（図示せず）によって行われる。りゅうず３７６が、アナログ時計機構モジュール１００の巻真１３２に取付けられる。
【００４３】
ブザーの音を出すための圧電素子３８４が裏ぶた３６４の中央部の内側に接着されている。ブザーリード端子３５０の先端部分は圧電素子３８４に接触する。
（５）アナログ時計機構モジュールを用いたアナログ電子時計のムーブメントの構造
次に、本発明のアナログ時計機構モジュールを用いたアナログ電子時計のムーブメントの構造について説明する。
以下の説明は、一例として、「標準サイズ」の「６×８型」のムーブメントについて行うが、本発明は、構成部品及び構成要素の寸法を変えることにより、他のサイズ、例えば、「５・１／２型」、「７・３／４型」、「８・３／４型」、「１０・１／２型」、「１１・１／２型」のムーブメントについても適用することができる。
【００４４】
図１７及び図１８を参照すると、「６×８型」（６・３／４×８型）のムーブメント４００は、アナログ時計機構モジュール４１０と、ムーブメント枠４１２と、電池４１４と、電池マイナス端子４１６と、回路ブロック４２０とを備える。
アナログ時計機構モジュール４１０の構造は、以下に説明する部分を除いて、図１に示すアナログ時計機構モジュール１００と同様な構造を有している。
アナログ時計機構モジュール４１０の地板４３２の外形形状は、巻真１３２のある側及び巻真１３２と反対側が「６×８型」に対応する寸法になるように構成され、巻真１３２の軸線と垂直方向の両側が「６×８型」に対応する寸法よりも小さく構成されている。なお、地板４３２の外形形状は、巻真１３２のある側及び巻真１３２と反対側が「６×８型」に対応する寸法よりも小さく構成してもよい。
【００４５】
アナログ時計機構モジュール４１０の巻真位置決め部材４３４は、電池４１４の陽極と接触するための電池プラス端子部分４３４ｂと、水晶ユニットを押さえるための水晶ユニット押さえ部分４３４ｃとを有する。アナログ時計機構モジュール４１０のリード基板４３６は、その外形形状が「６×８型」に対応する寸法よりも小さい範囲内にあるように形成されている。
ムーブメント枠４１２は、アナログ時計機構モジュール４１０を受け入れるためのモジュール収容部分４１２ａと、アナログ時計機構モジュール４１０の組立案内穴に挿入するための案内ピン４１２ｂと、アナログ時計機構モジュール４１０を固定するための熱かしめピン４１２ｃとを備える。案内ピン４１２ｂ及び熱かしめピン４１２ｃは１本であってもよいが、２本以上設けるのが好ましい。
【００４６】
ムーブメント枠４１２の外形形状は、アナログ時計機構モジュール４１０を受け入れたときに、巻真１３２のある側及び巻真１３２と反対側に対応する側が「６×８型」に対応する寸法になるように構成され、巻真１３２の軸線と垂直方向の両側に対応する側も「６×８型」に対応する寸法になるように構成されている。なお、ムーブメント枠４１２の外形形状は、巻真１３２のある側及び巻真１３２と反対側が「６×８型」に対応する寸法よりも小さく構成してもよい。
回路ブロック４２０は、回路基板４２２と、集積回路４２４と、水晶ユニット４２６とを含む。集積回路４２４は、電池４１４を電源とし、水晶ユニット４２６を源振として時刻に関する情報を計数する。集積回路４２４は、ステップモータを駆動するために、回路基板４２２に設けられた駆動信号出力パターンを介して、アナログ時計機構モジュール４１０のリード基板４３６の入力パターンに、ステップモータを駆動するための駆動信号を出力する。また、アナログ時計機構モジュール４１０からのリセット信号は、リード基板４３６のリセットパターンから、回路基板４２２に設けられたリセット信号入力パターンを介して、集積回路４２４に入力される。
【００４７】
電池マイナス端子４１２は、電池陰極接触部分４１６ａと、取付け用フック部分４１６ｂと、リセットピン押し部分４１６ｃと、かしめ固定部分４１６ｄとを有する。
回路基板４２２に設けられた駆動信号出力パターンが入力パターンに導通し、回路基板４２２に設けられたリセット信号入力パターンがリード基板４３６のリセットパターンに導通するように、回路ブロック４２０は、リード基板４３６に対して位置決めされている。水晶ユニット４２６の先端部付近は、巻真位置決め部材４３４の水晶ユニット押さえ部分４３４ｃにより支持される。
この配置では、水晶ユニット４２６及び集積回路４２４は、アナログ時計機構モジュール４１０の輪列受１２４の回路ブロック用スペース１２４ＳＣに収容されている。
【００４８】
電池マイナス端子４１６は、その一部分が輪列受１２４の電池マイナス端子用スペース１２４ＳＭに収容される。電池マイナス端子４１６の電池陰極接触部分４１６ａは、アナログ時計機構モジュール４１０の地板４１２の電池マイナス端子用スペースに収容される。
電池マイナス端子４１６はリセットピン押し部分４１６ｃを有する。電池マイナス端子４１６のリセットピン押し部分４１６ｃは、輪列受１２４のリセット絶縁部分１２４ＲＳを「ガラス側」に押し付ける。これにより、アナログ時計機構モジュール１００のリード基板４３６のリセットパターン付近をリセットピン１４４に押し付けることができる。電池マイナス端子４１６のリセットピン押し部分４１６ｃとリセットピン１４４及びリセットパターンとの間に絶縁性のある部材、即ち、輪列受１２４のリセット絶縁部分１２４ＲＳを介在させることにより、電池マイナス端子４１６のリセットピン押し部分４１６ｃがリセットピン１４４及びリセットパターンに導通しないように構成することができる。
【００４９】
電池マイナス端子４１６の取付け用フック部分４１６ｂは、地板４１２のフック受け部分に取付けられている。電池マイナス端子４１６のかしめ固定部分４１６ｄは、ムーブメント枠４１２の上にリード基板４３６を配置し、リード基板４３６の上に回路基板４２２を配置し、回路基板４２２の上に電池マイナス端子４１６を配置した状態で、熱かしめピン４１２ｃにより熱かしめされる。
電池４１４は、アナログ時計機構モジュール４１０の地板４１２の電池用スペースと、ムーブメント枠４１２の電池用スペースとに組み込まれる。電池４１４の陽極は、アナログ時計機構モジュール４１０の巻真位置決め部材４３４の電池プラス端子部分４３４ｂと導通し、電池４１４の陰極は電池マイナス端子４１６と導通している。
【００５０】
このように構成することにより、アナログ時計機構モジュール４１０とムーブメント枠４１２とを含むムーブメント４００は、全体として、「６×８型」のアナログ時計用ムーブメントを構成する。
（６）アナログ時計機構モジュールを用いたアナログ電子時計のムーブメントの製造方法
次に、アナログ時計機構モジュール４１０を用いてムーブメント４００を製造する製造方法について説明する。
アナログ時計機構モジュール４１０を用いてムーブメント４００を製造するときには、アナログ時計機構モジュール４１０をムーブメント枠４１２のモジュール収容部分４１２ａに組み込む。この組み込みは、ムーブメント枠４１２の案内ピン４１２ｂを、アナログ時計機構モジュール４１０の組立案内穴に挿入して行う。
【００５１】
次に、回路ブロック４２０を、アナログ時計機構モジュール４１０及びムーブメント枠４１２に組み込む。このときに、水晶ユニット４２６及び集積回路４２４は、アナログ時計機構モジュール４１０の輪列受１２４の回路ブロック用スペース１２４ＳＣに収容される。
次に、電池マイナス端子４１６を、アナログ時計機構モジュール４１０及びムーブメント枠４１２に組み込む。
電池マイナス端子４１６のリセットピン押し部分４１６ｃは、リード基板４３６のリセットパターン付近をリセットピン１４４に押し付ける。このときに、電池マイナス端子４１６がリセットパターン及びリセットピン１４４に導通しないようにする。電池マイナス端子４１６の取付け用フック部分４１６ｂを、地板４１２のフック受け部分に取付けることにより、電池マイナス端子４１６を地板４１２に対して固定する。
【００５２】
ムーブメント枠４１２の上にリード基板４３６を配置し、リード基板４３６の上に回路基板４２２を配置し、回路基板４２２の上に電池マイナス端子４１６を配置した状態で、熱かしめピン４１２ｃを熱かしめすることにより、電池マイナス端子４１６のかしめ固定部分４１６ｄを固定する。
電池４１４が、アナログ時計機構モジュール４１０の地板４１２の電池用スペースと、ムーブメント枠４１２の電池用スペースとに組み込まれる。電池４１４の陽極は、アナログ時計機構モジュール４１０の巻真位置決め部材４３４の電池プラス端子部分４３４ｂと導通し、電池４１４の陰極は電池マイナス端子４１６と導通する。
このような工程により、本発明のアナログ時計機構モジュールを用いたアナログ電子時計のムーブメントを製造することができる。
【００５３】
【発明の効果】
本発明のアナログ時計機構モジュールでは、ステップモータを作動させる信号を入力するための２つの入力パターンと、ステップモータの作動をリセットさせるための１つのリセットパターンがリード基板に設けられているので、リセット機構の構造が簡単であり、部品数が少なく、部品の製造工程が短い。
本発明のアナログ時計機構モジュールは小型であるので、これを用いることにより、小型の複合表示式電子時計及び小型で薄型のアナログ電子時計を実現することができる。
【図面の簡単な説明】
【図１】裏ぶた側から見たときの、本発明のアナログ時計機構モジュールの実施の形態を示す平面図である。
【図２】輪列受及び巻真位置決め部材を外した状態で裏ぶた側から見たときの、本発明のアナログ時計機構モジュールの実施の形態を示す平面図である。
【図３】本発明のアナログ時計機構モジュールの実施の形態の巻真、輪列、転換機を示す概略部分断面図である。
【図４】本発明のアナログ時計機構モジュールの実施の形態の地板外周部を示す概略部分断面図である。
【図５】本発明のアナログ時計機構モジュールの実施の形態の地板外周部の他の部分を示す概略部分断面図である。
【図６】本発明のアナログ時計機構モジュールの実施の形態のリード基板の部分を示す概略部分断面図である。
【図７】ガラス側から見たときの、本発明のアナログ時計機構モジュールの実施の形態を示す平面図である。
【図８】ガラス側から見たときの、本発明のアナログ時計機構モジュールに用いられる地板を示す概略平面図である。
【図９】ガラス側から見たときの、本発明のアナログ時計機構モジュールに用いられるリード基板を示す概略平面図である。
【図１０】ガラス側から見たときの、本発明のアナログ時計機構モジュールを用いた複合表示式電子時計のムーブメントを示す平面図である。
【図１１】裏ぶた側から見たときの、本発明のアナログ時計機構モジュールを用いた複合表示式電子時計のムーブメントを示す平面図である。
【図１２】本発明のアナログ時計機構モジュールを用いた複合表示式電子時計のムーブメントを示す概略側面図である。
【図１３】本発明のアナログ時計機構モジュールを用いた複合表示式電子時計のムーブメントを示す概略部分断面図である。
【図１４】本発明のアナログ時計機構モジュールを用いた複合表示式電子時計のムーブメントを示す概略部分断面図である。
【図１５】本発明のアナログ時計機構モジュールを用いた複合表示式電子時計のムーブメントを示す概略部分断面図である。
【図１６】本発明のアナログ時計機構モジュールを用いた複合表示式電子時計のコンプリートを示す概略部分断面図である。
【図１７】裏ぶた側から見たときの、本発明のアナログ時計機構モジュールを用いたアナログ電子時計のムーブメントを示す平面図である。
【図１８】本発明のアナログ時計機構モジュールを用いたアナログ電子時計のムーブメントを示す概略部分側面図である。
【符号の説明】
１００  アナログ時計機構モジュール
１０２  地板
１０４  ステップモータ
１０６  ステータ
１０８  コイルブロック
１１０  ロータ
１１２  表輪列
１１４  五番車
１１６  四番車
１１８  三番車
１２０  二番車
１２２  日の裏車
１２４  輪列受
１３０  切換機構
１３２  巻真
１３４  巻真位置決め部材
１３６  つづみ車
１４０  リセットレバー
１４２  リード基板
１４４  リセットピン
１４２ａ、１４２ｂ  入力パターン
１４２ｃ  リセットパターン
１５０  筒車
１５２  筒車押さえ
３００  複合表示式電子時計のムーブメント
３０２  ムーブメント枠
３０４、３０６  モジュール固定ピン
３０８  導通部固定ピン
３１０  液晶パネル
３２０  回路ブロック
３２２  スイッチばね
３３０  電池
３３２  電池マイナス端子
３４０  信号伝達用基板
３５０  ブザーリード端子
３６０  胴
３６２  ガラス
３６４  裏ぶた
３６６  文字板
３７０  秒針
３７２  分針
３７４  時針
３７６  りゅうず
３８０  中枠
３８４  圧電素子
４００  「６×８型」のムーブメント
４１０  アナログ時計機構モジュール
４１２  ムーブメント枠
４１４  電池
４１２  電池マイナス端子
４２０  回路ブロック
４２２  回路基板
４２４  集積回路
４２６  水晶ユニット
４３２  地板
４３４  巻真位置決め部材
４３６  リード基板
【図１】
0003632890.tif 000002
【図２】
0003632890.tif 000003
【図３】
0003632890.tif 000004
【図４】
0003632890.tif 000005
【図５】
0003632890.tif 000006
【図６】
0003632890.tif 000007
【図７】
0003632890.tif 000008
【図８】
0003632890.tif 000009
【図９】
0003632890.tif 000010
【図１０】
0003632890.tif 000011
【図１１】
0003632890.tif 000012
【図１２】
0003632890.tif 000013
【図１３】
0003632890.tif 000014
【図１４】
0003632890.tif 000015
【図１５】
0003632890.tif 000016
【図１６】
0003632890.tif 000017
【図１７】
0003632890.tif 000018
【図１８】
0003632890.tif 000019